【手続補正書】
【提出日】令和2年1月7日(2020.1.7)
【手続補正１】
【補正対象書類名】特許請求の範囲
【補正対象項目名】全文
【補正方法】変更
【補正の内容】
【特許請求の範囲】
【請求項１】
５００秒未満で電池が完全に放電される高放電率事象中に電池の放電持続時間を求めるための方法であって、
電池管理システム（ＢＭＳ）のプロセッサによって実際に前記電池から放電されている瞬時の電流量を電流検出装置から受け取ることと、
前記ＢＭＳのプロセッサによって実時間で、放電の開始時に電池に蓄積されている充電の特定量と実際に前記電池から放電されている前記受け取った瞬時の電流量とに基づいて前記電池の電流ベースの放電終止までの時間を計算することと、
前記ＢＭＳのプロセッサによって、前記電池が放電されている間の前記電池の瞬時の実温度の測定値を温度検出装置から受け取ることと、
前記ＢＭＳのプロセッサによって実時間で、前記電池が放電されている間の前記電池の前記瞬時の実温度の測定値に基づいて前記電池の温度ベースの放電終止までの時間を計算することと、
前記ＢＭＳのプロセッサによって実時間で、前記電池の前記計算された電流ベースの放電終止までの時間を前記電池の前記計算された温度ベースの放電終止までの時間と比較することと、
前記ＢＭＳのプロセッサによって実時間で、前記電池の前記計算された電流ベースの放電終止までの時間を前記電池の前記計算された温度ベースの放電終止までの時間と比較することに基づいて前記電池の放電持続時間を求めることと、
前記ＢＭＳのプロセッサによって実時間で、前記求められた放電持続時間が秒で示される形式で、前記ＢＭＳのメモリ内のレジスタに前記求められた放電持続時間を書き込むことと、
前記ＢＭＳのプロセッサによって実時間で、秒で示される形式の前記求められた放電持続時間の視覚的表示を提供することと、を含むことを特徴とする方法。
【請求項２】
請求項１に記載の方法であって、前記電池の前記計算された電流ベースの放電終止までの時間を前記電池の前記計算された温度ベースの放電終止までの時間と比較することに基づいて前記電池の放電持続時間を求めることが、
前記電池の前記電流ベースの放電終止までの時間が、前記電池の前記計算された温度ベースの放電終止までの時間より大きいことに応じて、前記放電持続時間の値を前記電池の前記温度ベースの放電終止までの時間の秒数に設定することと、
前記電池の前記電流ベースの放電終止までの時間が前記電池の前記計算された温度ベースの放電終止までの時間より大きくないことに応じて、前記放電持続時間の値を前記電池の前記電流ベースの放電終止までの時間の秒数に設定することと、を含むことを特徴とする方法。
【請求項３】
請求項１に記載の方法であって、前記ＢＭＳのプロセッサによって、前記電池が放電されている間の前記電池の前記受け取った瞬時の実温度の測定値に少なくとも部分的に基づいて前記電池の劣化状態（ＳＯＨ）を求めることをさらに含むことを特徴とする方法。
【請求項４】
請求項３に記載の方法であって、前記ＢＭＳのプロセッサによって、前記電池のＳＯＨを求めることが、前記電池の温度上昇値の初期変化のセットを記憶することをさらに含むことを特徴とする方法。
【請求項５】
請求項４に記載の方法であって、前記ＢＭＳのプロセッサによって、前記電池のＳＯＨを求めることが、
前記電池が放電されている間の前記電池の温度上昇の実際の変化を求めることと、
前記記憶された温度上昇値の初期変化のセットのうちの前記記憶された少なくとも１つと温度上昇の前記実際の変化との間の比率を求めることと、
前記電池が放電されている間の前記電池の最高および予想温度を求めることと、
前記記憶された温度上昇値の初期変化のセットのうちの前記少なくとも１つと温度上昇の前記実際の変化との間の前記比率、ならびに、前記電池が放電されている間の前記電池の前記最高および予想温度に基づいて、放電中に許容される最短予測時間を求めることと、
実際の放電時間が前記最短予測時間より少ないことに応じて、前記電池を有効寿命末期（ＥＯＳＬ）であるとして同定することとをさらに含むことを特徴とする方法。
【請求項６】
プロセッサと、
メモリであって、前記プロセッサと結合されて前記プロセッサによって読み取り可能であり、かつ前記プロセッサによって実行されると、前記プロセッサに、
実際に電池から放電されている瞬時の電流量を電流検出装置から受け取り、
放電の開始時に前記電池に蓄積されている充電の特定量と、実際に前記電池から放電されている、前記受け取った瞬時の電流量とに基づいて、実時間で、前記電池の電流ベースの放電終止までの時間を計算し、
前記電池が放電されている間の前記電池の瞬時の実温度の測定値を温度検出装置から受け取り、
前記電池が放電されている間の前記電池の前記受け取った前記瞬時の実温度に基づいて、実時間で、前記電池の温度ベースの放電終止までの時間を計算し、
実時間で、前記電池の前記計算された電流ベースの放電終止までの時間を前記電池の前記計算された温度ベースの放電終止までの時間と比較し、
前記電池の前記計算された電流ベースの放電終止までの時間を前記電池の前記計算された温度ベースの放電終止までの時間と比較することに基づいて、実時間で、前記電池の放電持続時間を求め、
前記求められた放電持続時間が秒で示される形式で、実時間で、前記ＢＭＳのメモリ内のレジスタに前記求められた放電持続時間を書き込み、
秒で示される形式で、実時間で、前記求められた放電持続時間を提供する、
ことによって前記電池の前記放電持続時間を求めさせる一組の命令を記憶したメモリと、
を備えることを特徴とするシステム。
【請求項７】
請求項６に記載のシステムであって、前記電池の前記計算された電流ベースの放電終止までの時間を前記電池の前記計算された温度ベースの放電終止までの時間と比較することに基づいて前記電池の放電持続時間を求めることが、
前記電池の前記電流ベースの放電終止までの時間が前記電池の前記計算された温度ベースの放電終止までの時間より大きいことに応じて、前記放電持続時間の値を前記電池の前記温度ベースの放電終止までの時間の秒数に設定することと、
前記電池の前記電流ベースの放電終止までの時間が前記電池の前記計算された温度ベースの放電終止までの時間より大きくないことに応じて、前記放電持続時間の値を前記電池の前記電流ベースの放電終止までの時間の秒数に設定することと、を含むことを特徴とするシステム。
【請求項８】
請求項６に記載のシステムであって、前記前記電池が放電されている間の前記電池の前記受け取った瞬時の実温度の測定値に少なくとも部分的に基づいて前記電池の劣化状態（ＳＯＨ）を求めることをさらに含むことを特徴とするシステム。
【請求項９】
請求項８に記載のシステムであって、前記電池のＳＯＨを求めることが、前記電池の温度上昇値の初期変化のセットを記憶することをさらに含むことを特徴とするシステム。
【請求項１０】
請求項９に記載のシステムであって、前記電池のＳＯＨを求めることが、
前記電池が放電されている間の前記電池の温度上昇の実際の変化を求めることと、
前記記憶された温度上昇値の初期変化のセットのうちの前記記憶された少なくとも１つと温度上昇の前記実際の変化との間の比率を求めることと、
前記電池が放電されている間の前記電池の最高および予想温度を求めることと、
前記記憶された温度上昇値の初期変化のセットのうちの前記記憶された少なくとも１つと温度上昇の前記実際の変化との間の前記比率、ならびに前記電池が放電されている間の前記電池の前記最高および予想温度に基づいて、放電中に許容される最短予測時間を求めることと、
実際の放電時間が前記最短予測時間より少ないことに応じて、前記電池を有効寿命末期（ＥＯＳＬ）であるとして同定することとをさらに含むことを特徴とするシステム。
【請求項１１】
非一時的コンピュータ可読媒体であって、プロセッサによって実行されると、前記プロセッサに、
実際に電池から放電されている瞬時の電流量を電流検出装置から受け取り、
放電の開始時に前記電池に蓄積されている充電の特定量と、実際に前記電池から放電されている、前記受け取った瞬時の電流量とに基づいて、実時間で、前記電池の電流ベースの放電終止までの時間を計算し、
前記電池が放電されている間の前記電池の瞬時の実温度の測定値を温度検出装置から受け取り、
前記電池が放電されている間の前記電池の前記受け取った瞬時の実温度の測定値に基づいて、実時間で、前記電池の温度ベースの放電終止までの時間を計算し、
前記電池の前記計算された電流ベースの放電終止までの時間を前記電池の前記計算された温度ベースの放電終止までの時間と実時間で比較し、
前記電池の前記計算された電流ベースの放電終止までの時間を前記電池の前記計算された温度ベースの放電終止までの時間と比較することに基づいて、実時間で、前記電池の放電持続時間を求め、
前記求められた放電持続時間が秒で示される形式で、実時間で、前記ＢＭＳのメモリ内のレジスタに前記求められた放電持続時間を書き込み、
秒で示される形式で、実時間で、前記求められた放電持続時間の視覚的表示を提供する、
ことによって前記電池に対する前記放電持続時間を求めさせる一組の命令が記憶されたことを特徴とする非一時的コンピュータ可読媒体。
【請求項１２】
請求項１１に記載の非一時的コンピュータ可読媒体であって、前記電池の前記計算された電流ベースの放電終止までの時間を前記電池の前記計算された温度ベースの放電終止までの時間と比較することに基づいて前記電池の放電持続時間を求めることが、
前記電池の前記電流ベースの放電終止までの時間が前記電池の前記計算された温度ベースの放電終止までの時間より大きいことに応じて、前記放電持続時間の値を前記電池の前記温度ベースの放電終止までの時間の秒数に設定することと、
前記電池の前記電流ベースの放電終止までの時間が前記電池の前記計算された温度ベースの放電終止までの時間より大きくないことに応じて、前記放電持続時間の値を前記電池の前記電流ベースの放電終止までの時間の秒数に設定することと、を含むことを特徴とする非一時的コンピュータ可読媒体。
【請求項１３】
請求項１１に記載の非一時的コンピュータ可読媒体であって、前記電池が放電されている間の前記電池の、前記受け取った瞬時の実温度の測定値に少なくとも部分的に基づいて前記電池の劣化状態（ＳＯＨ）を求めることをさらに含むことを特徴とする非一時的コンピュータ可読媒体。
【請求項１４】
請求項１３に記載の非一時的コンピュータ可読媒体であって、前記電池のＳＯＨを求めることが、
前記電池の温度上昇値の初期変化のセットを記憶することと、
前記電池が放電されている間の前記電池の温度上昇の実際の変化を求めることと、
前記記憶された温度上昇値の初期変化のセットのうちの前記記憶された少なくとも１つと温度上昇の前記実際の変化との間の比率を求めることと、
前記電池が放電されている間の前記電池の最高および予想温度を求めることと、
前記記憶された温度上昇値の初期変化のセットのうちの前記記憶された少なくとも１つと温度上昇の前記実際の変化との間の前記比率、ならびに前記電池が放電されている間の前記電池の前記最高および予想温度に基づいて、放電中に許容される最短予測時間を求めることと、
実際の放電時間が前記最短予測時間より少ないことに応じて、前記電池を有効寿命末期（ＥＯＳＬ）であるとして同定することとをさらに含むことを特徴とする非一時的コンピュータ可読媒体。